(57)【要約】【要約】  燃焼動力式締結具駆動工具（１０）が、燃焼式動力源（１４）と、動力源（１４）と協働する少なくとも１つのファン（４８）と、動力源（１４）の近傍に配設された少なくとも１つの温度検知装置（６０）と、動力源（１４）に関連し、かつ、少なくとも１つのファン（４８）および少なくとも１つの温度検知装置（６０）に接続され、少なくとも１つの温度検知装置（６０）により検知された動力源（１４）の温度の関数として、少なくとも１つのファン（４８）の作動時間の長さを調節するための制御システム（６７）とを具備する。【特許請求の範囲】
【請求項１】
燃焼動力式締結具駆動工具において、
燃焼式動力源と、
前記動力源と協働する少なくとも１つのファンと、
前記動力源の近傍に配設された少なくとも１つの温度検知装置と、
前記動力源に関連し、かつ、前記少なくとも１つのファンおよび前記少なくとも１つの温度検知装置に接続され、前記少なくとも１つの温度検知装置により検知された動力源の温度の関数として、前記少なくとも１つのファンの作動時間の長さを調節するための制御システムとを具備した燃焼動力式締結具駆動工具。
【請求項２】
前記制御システムは、前記温度検知装置が前記動力源の予め決定された許容温度を検知するまで前記ファンを作動させる請求項１に記載の工具。
【請求項３】
前記制御システムは、前記少なくとも１つのファンを所定時間作動させる請求項１に記載の工具。
【請求項４】
前記少なくとも１つの温度検知装置は、前記工具の強制対流の流れの中に配置されている請求項１に記載の工具。
【請求項５】
前記少なくとも１つの温度検知装置は、少なくとも１つのサーミスターを含む請求項１に記載の工具。
【請求項６】
前記少なくとも１つのサーミスターは、好ましくは前記動力源の近傍に配置されている請求項５に記載の工具。
【請求項７】
前記少なくとも１つの温度検知装置は、前記動力源の近傍に配設された第１の温度検知装置と、前記動力源から更に遠位に配設された第２の温度検知装置とを含み、
前記制御システムは、前記第１と第２の温度検知装置を比較して、該比較結果の関数として、前記少なくとも１つのファンの作動時間を調節するようになっている請求項１に記載の工具。
【請求項８】
前記第２の温度検知装置は、周囲温度を検知するようになっている請求項７に記載の工具。
【請求項９】
前記制御システムは、前記第１と第２の温度検知装置を用いてΔＴを演算し、該ΔＴの関数として、前記少なくとも１つのファンの作動時間を調節するようになっている請求項７に記載の工具。
【請求項１０】
前記制御システムは、前記ΔＴおよび前記第２の温度検知装置に関連して前記少なくとも１つのファンの作動時間を調節するようになっている請求項９に記載の工具。
【請求項１１】
前記制御システムは、前記ΔＴに比例して、前記少なくとも１つのファンの作動時間を増加するようになっている請求項９に記載の工具。
【請求項１２】
前記工具がトリガースイッチとヘッドスイッチとを含み、該トリガースイッチとヘッドスイッチの何れか一方が燃焼を開始するようになっており、従って該工具が作動していることを示すようになっており、
前記制御システムは、該工具が作動しているか否かを判定し、作動している場合には、該工具の温度を監視して、該工具の温度が所定値を超過しているか否かを判定し、超過している場合に前記少なくとも１つのファンを作動させるようになっている請求項１に記載の工具。
【請求項１３】
前記少なくとも１つのファンは、所定時間が経過したとき、或いは、監視している温度が所定値よりも低くなったときに停止するようになっている請求項１２に記載の工具。
【請求項１４】
前記監視している温度が６０℃を超過した場合に、前記少なくとも１つのファンを９０秒間または前記監視している温度が４０℃以下となるまで作動させるようにした請求項１３に記載の工具。
【請求項１５】
前記制御システムは、また、前記工具の点火速度の関数として前記少なくとも１つのファンを作動させるようになっている請求項１に記載の工具。
【請求項１６】
燃焼動力式締結具駆動工具において、
燃焼式動力源と、
前記動力源と協働する少なくとも１つのファンと、
前記動力源に関連し、かつ、前記少なくとも１つのファンに接続され、前記動力源の点火数の関数として、前記少なくとも１つのファンの作動時間の長さを調節するための制御システムとを具備した燃焼動力式締結具駆動工具。
【請求項１７】
少なくとも１つの温度検知装置を更に含み、
前記制御システムが、点火速度を監視し、該点火速度が所定値を超過したときに前記少なくとも１つのファンを作動させ、
前記温度検知装置が、前記少なくとも１つのファンの作動時間を決定するようになっている請求項１６に記載の工具。
【請求項１８】
前記少なくとも１つのファンの作動時間は、前記工具の点火速度に比例するようになっている請求項１７に記載の工具。
【請求項１９】
燃焼室と、該燃焼室と協働するように配設された少なくとも１つのファンとを具備した燃焼動力式工具の操作方法において、
前記工具が作動しているか否かを判定し、
前記工具が作動していると判定された場合に、工具の温度を監視し、
前記工具温度が所定値を超過する場合に、前記少なくとも１つのファンを所定時間作動させるようにした工具の操作方法。
【請求項２０】
前記所定時間が経過していなくとも、前記工具温度が予め定めた低い温度よりも低くなったときに、前記少なくとも１つのファンを停止する段階を更に含む請求項１９に記載の方法。
【請求項２１】
前記所定値は約６０℃であり、前記ファンを作動させる所定時間は約９０秒間である請求項１９に記載の方法。
【請求項２２】
前記予め定めた低い温度は約４０℃である請求項１９に記載の方法。
【発明の詳細な説明】
【技術分野】
【０００１】
本発明は、締結具をワーク内へ打込むための締結具駆動工具に関し、特に、燃焼工具とも称される燃焼動力式締結具駆動工具に関する。
【背景技術】
【０００２】
燃焼動力式締結具駆動工具は締結具をワークに打込むために使用され従来公知となっており、米国再発行特許第３２４５２号、米国特許第４５２２１６２号、米国特許第４４８３４７３号、米国特許第４４８３４７４号、米国特許第４４０３７２２号、米国特許第５１９７６４６号、米国特許第５２６３４３９号、米国特許第５７１３３１３号に記載されており、参照することによりこれらの全ての開示を本願の記載に代える。また、燃焼動力式締結具駆動工具は、一例がイリノイ州バーノンヒル所在のＩＴＷパスロード(ITW Paslode)社により製造され、インパルス(IMPULSE)（登録商標）およびパスロード(Paslode)（登録商標）の商標名で市販されている。
【０００３】
こうした工具は、小型の内燃エンジンを包囲するピストル形の工具ハウジングを有している。該エンジンは、燃料セルとも称される加圧された燃料ガスのキャニスターを動力源とする。バッテリー式の電力分配ユニットによって点火用の火花が生成され、燃焼室に配設されたファンによって燃焼室内の燃焼を促進し、また、装置の燃焼に付随する工程を容易にする。こうした付随工程は、燃焼室内への燃料供給、燃焼室内での燃料と空気の混合、燃焼生成物の除去または排気を含む。前記エンジンは、細長い剛性のブレードを備え単一のシリンダ本体内に配設された往復動ピストンを含む。
【０００４】
弁スリーブが、リンク機構によってシリンダの周囲で軸方向に往復動自在に設けられており、前記リンク機構の先端部に設けられたワーク接触要素がワークに対して押圧されると、前記弁スリーブが移動して燃焼室を閉鎖する。この押圧作用によって、また燃料計量弁が起動し、所定量の燃料が閉鎖された燃焼室内に導入される。
【０００５】
トリガースイッチが引かれると、火花が生成されて燃焼室内の燃料ガスが点火され、ピストンおよび駆動ブレードが下方に押し出されて、位置決めされている締結具に衝当して該締結具をワーク内に駆動する。次いで、ピストンは、ガスの差圧によって初期位置または点火前位置へ復帰する。締結具は、マガジン式にノーズ部に供給され、駆動ブレードによる衝当を受けるための適切な位置、配向で保持される。
【０００６】
上記の燃焼工具には、燃焼室内にファンが配設されている。このファンは、多くの機能を奏するが、その１つは冷却である。ファンは、打込みサイクルの間に工具を通して空気を引込むことによって冷却機能を果たす。このファンは、搭載されているバッテリーから供給される動力によって駆動され、バッテリーの寿命を長くするために、モータの駆動時間を最小限にすることが行われている。また、ファンの駆動時間を短くすることによって、モータ（軸受およびブラシ）の損耗が低減され、空気の流れによって工具から発生する騒音が制限され、また、最も重要なこととして、工具内への汚れの進入が制限される。ファンの「作動時間」を管理するために、燃焼工具には、通常、ファンの「作動時間」を１０秒以下に制限する制御プログラムが組込まれている。
【０００７】
【特許文献１】米国再発行特許第３２４５２号明細書
【特許文献２】米国特許第４５２２１６２号明細書
【特許文献３】米国特許第４４８３４７３号明細書
【特許文献４】米国特許第４４８３４７４号明細書
【特許文献５】米国特許第４４０３７２２号明細書
【特許文献６】米国特許第５１９７６４６号明細書
【特許文献７】米国特許第５２６３４３９号明細書
【特許文献８】米国特許第５７１３３１３号明細書
【発明の開示】
【発明が解決しようとする課題】
【０００８】
高サイクル速度が要求される燃焼工具の用途、或いは、周囲温度が高いときに工具を操作する必要のある燃焼工具の用途では、しばしば工具の構成要素の温度が高くなる。これによって、性能上の多くの問題が生じる。最も一般的な問題は、工具は点火するが、締結具が駆動されない過熱状態である。これは、また「スキップ(skip)」或いは「ブランクファイア(blank fire)」と称される。既述したように、ピストンを真空により復帰させる機能は、燃焼室に残留するガスの冷却速度に依存している。構成要素の温度が高くなると、燃焼ガスとエンジン壁面の温度差が小さくなる。これによって、ピストンの復帰サイクルの時間が長くなり、ロックアウト装置を搭載していても、ピストンが復帰する前に、操作者が燃焼室を開く事ができるようになる。その結果、駆動ブレードが工具のノーズ部内に残り、締結具を前進させることができなくなる。従って、工具の次の点火時に締結具が駆動されない。
【０００９】
工具の作動温度が高いことの他の欠点は、工具の構成要素に熱応力が作用する点である。特に、バッテリーの寿命が短くなり、工具が長時間高温で作動すると、内分潤滑油の潤滑容量が低下する。
【００１０】
従って、ファンの作動時間を短縮した燃焼動力式締結具駆動工具が必要とされている。更に、工具の作動温度を許容限界内に管理して、性能を高め、ピストンの比較的速い点火前位置への復帰を維持するようした燃焼動力式締結具駆動工具の必要性がある。
【課題を解決するための手段】
【００１１】
上述した必要性は、最新技術の制限を克服する本願発明の燃焼動力式締結具駆動工具によって充足または突破される。本発明の工具は、ファンの作動時間を一層効果的に制御する温度検知システムを具備する。ファンの作動時間は、工具温度を監視すること、動力源の温度を周囲温度（環境温度）と比較すること、或いは、工具の点火速度の関数としてファンの作動時間を制御することによって決定することができよう。
【００１２】
より詳細には、本発明の燃焼動力式締結具駆動工具は、燃焼式動力源と、前記動力源と協働する少なくとも１つのファンと、前記動力源の近傍に配設された少なくとも１つの温度検知装置と、前記動力源に関連し、かつ、前記少なくとも１つのファンおよび前記少なくとも１つの温度検知装置に接続され、前記少なくとも１つの温度検知装置により検知された動力源の温度の関数として、前記少なくとも１つのファンの作動時間の長さを調節するための制御システムとを具備する。
【００１３】
他の実施形態では、燃焼動力式締結具駆動工具は、燃焼式動力源と、前記動力源と協働する少なくとも１つのファンと、前記動力源に関連し、かつ、前記少なくとも１つのファンに接続され、前記動力源の点火速度の関数として、前記少なくとも１つのファンの作動時間の長さを調節するための制御システムとを具備する。
【発明を実施するための最良の形態】
【００１４】
図１〜図３を参照すると、本発明に係る燃焼動力式締結具駆動工具は、全体的に参照番号１０で示されており、好ましくは、本願と一体をなすものとして参照した上記の特許に詳細に説明されているタイプと概ね同様の工具である。工具１０のハウジング１２が、ハウジング主室１６内に内蔵された内部動力源１４（図２）を包囲する。従来の燃焼工具と同様に、動力源１４は内部燃焼によって動力を発生し、シリンダ２０に連通する燃焼室１８を有している。シリンダ２０内に往復動自在に配設されたピストン２２が、駆動ブレード２４の上端に連結されている。図２に示すように、ピストンの往復動作の上限は、上死点または点火前位置と称され、そしてそれは点火の直前の、つまり、燃焼性ガスに点火し、締結具（図示せず）に衝当してワークに押し込むために駆動ブレード２４の下方への駆動が開始する直前の位置である。
【００１５】
トリガースイッチ２７（隠れて表示されている）と協働するトリガー２６を押込むことによって、操作者は、燃焼室１８内に燃焼を引き起こし、駆動ブレード２４がノーズ部２８（図１）内を下方へ駆動される。ノーズ部２８は、締結具マガジン３０によってノーズ部内に給送された締結具に衝当させるために、駆動ブレード２４を案内する。
【００１６】
ノーズ部２８にはワーク接触要素３２が設けられており、ワーク接触要素はリンク機構３４によって、往復動する弁スリーブ３６に連結されている。弁スリーブの上端は、燃焼室１８の一部を画成する。工具のハウジング１２をワーク接触要素３２に対して下方（周知となっているように、他の操作方向でもよい）へ押込むと、ワーク接触要素は休止位置から点火前位置へ移動する。この移動は、バネ３８（図１では隠れている）によるワーク接触要素３２の通常下方への付勢に対向して行われる。バネ３８の位置は用途に応じて変えることができる。
【００１７】
リンク機構３４を通じて、ワーク接触要素３２は、弁スリーブ３６に連結され、該弁スリーブと共に往復動作する。休止位置（図２）では、弁スリーブ３６とシリンダヘッド４２とを隔てる環状の間隙４０があるので、燃焼室１８は密閉されていない。前記環状の間隙は、弁スリーブ３６とシリンダヘッド４２とを隔てる上方間隙４０Ｕと、弁スリーブ３６とシリンダ２０とを隔てる下方間隙４０Ｌとを含み、上方間隙には、燃焼室スイッチ４４とスパークプラグ４６が配設されている。本工具１０の好ましい実施形態では、シリンダヘッド４２は、また、冷却ファン４８および該冷却ファンを駆動するファンモータ４９のための取付部となっいる。該冷却ファンおよびファンモータの少なくとも一部は、周知のように、また、本願と一体をなすものとして参照した上記特許に記載されているように、燃焼室１８内に突き出ている。更に、本願と一体をなすものとして参照する米国特許第５７１３３１３号には、複数の冷却ファンを用いた燃焼動力式工具が開示されている。図２に示す休止位置では、燃焼室１８は、その頂部がシリンダヘッド４２により密閉されておらず、また、燃焼室スイッチ４４が開成しているので、工具１０は点火不能となっている。
【００１８】
操作者がワーク接触要素３２をワークに押圧すると、点火可能となる。この操作は、バネの付勢力に対抗して行われ、これによって弁スリーブ３６がハウジング１２に関して上動し、間隙４０が閉じ、燃焼室１８が密閉され、燃焼室スイッチ４４が起動する。この操作によって、また、計量された量の燃料が燃料キャニスター５０（部分的に示されている）から燃焼室１８内に供給される。
【００１９】
逐次操作として知られる操作モードでは、トリガー２６が引かれると、点火プラグ４６が活性化し、燃焼室１８内の燃料と空気の混合気が点火し、ピストン２２および駆動ブレード２４が、ワークへ打込むために待機している締結具へ向けて下方へ送出される。ピストン２２がシリンダを下方へ移動すると、該ピストンは空気を押して、少なくとも１つのペタル弁(petal valve)または逆止弁５２、および、ピストンの移動行程を越えた位置（図２）に配置されている少なくとも１つの排気孔５３を介して排気する。ピストン行程の下端つまりピストンの最大移動距離の位置で、周知のようにピストン２２は弾性バンパー５４に衝接する。ピストン２２が排気逆止弁５２を越えると、大気圧に近い状態が得られ、逆止弁５２が閉じるまでシリンダ２０から高圧気体が排気される。シリンダ２０内の内部圧力の違いによって、ピストン２２は図３に示す点火前位置へ復帰する。
【００２０】
上述したように、このタイプの燃焼動力式工具の１つの問題は、次のサイクルの前に、ピストン２２を点火前位置へ迅速に復帰させることである。この必要性は、トリガー２６が引込まれた位置または押入された位置に保持され、ワーク接触要素３２が後退する度に点火する繰返しサイクルモードで工具を点火すべき場合に、特に決定的となる。各サイクルの操作の間、弁スリーブ３６が最上位置（図３）へ到達したときに、燃焼室スイッチ４４が閉成されることによって、工具の点火が行われる。こうした繰返しサイクル操作によって、工具の作動温度がしばしば上昇し、ピストンの復帰時間が長くなる。
【００２１】
工具サイクル時間が長くなったり、かつ／または、周囲温度が高くなって、工具が高温になるような場合のために、サーミスターのような少なくとも１つの温度検知装置６０（図１に隠れ線で示す）が、好ましくは、シリンダ２０の下端に、工具１０の強制対流の流れの中に或いは該強制対流の流れと関連して作用するように配設されている。他のタイプの温度検知装置を用いてもよい。更に、用途によっては、他工具１０の他の部位に配設してもよい。温度検知装置６０は、中央処理装置（ＣＰＵ）６７と協働する制御プログラム６６に接続されており、温度が好ましい「通常」作動範囲に低下するまで、少なくとも１つの冷却ファン４８の「作動時間」を延長するようになっている。或いは、プログラム６６は、燃焼室温度が「通常」作動範囲に戻るのに十分な所定時間、例えば９０秒間、ファン４８の作動を保持するようにしてもよい。好ましい実施形態では、プログラム６６およびＣＰＵ６７は、工具１０のハンドル部６８内に配設されている。
【００２２】
動力源１４への温度検知装置６０近接性、内部の強制対流流れ、および、有害なファンの作動を排除するための望ましい冷却効果に基づいて温度閾値が選択される。過剰なファン作動時間は、不必要に汚染要因物質を工具１０内に引込むと共にバッテリー動力を消耗させる。また、過剰なファン作動時間の他の欠点には、ファンの構成要素の早期の損傷、や工具１０のファンにより誘発される作動ノイズが含まれる。高サイクル速度への厳しい用途、および／または、周囲温度が高く過熱の問題が生じる場合のために、温度管理された強制対流は、一層信頼性の高い、燃焼動力式釘打ち性能をもたらし、かつ、工具の熱応力を低減する。
【００２３】
図４Ａを参照すると共に逐次点火モードを考慮すると、本プログラムは、繰返し点火モードにも適用可能であるが、工具温度の監視に関連した制御プログラム６６の部分が概括的に参照番号７０で指示されている。開始プロンプト７１から開始して、プログラム７０は、７２において、燃焼室スイッチ４４（ヘッドと表す）が開成しているか否かを判定する。閉じたヘッドは、燃焼室１８が閉じており、燃焼の準備ができていることを示す。ヘッドが閉じていると、プログラムは循環する。ヘッドが開いていると、プログラム７０は、７４において、トリガー２６が開成しているか否かをチェックする。ヘッドが開いている状態でトリガー２６が閉成していると、プログラムは循環する。ステップ７６において、ヘッドが閉じると、ステップ７８でファンが起動し、燃料と空気の混合気が燃焼室内で循環する。
【００２４】
次に、プログラム７０は、８０において、トリガー２６が閉成しているか、或いは、８２において、ヘッドが開いているかを判断することによって、点火プロセスを起動するか否かをチェックする。操作者が工具１０の使用を中止したり、或いは、該工具を使用しないように置いたような場合のように、トリガー２６が閉成されておらず、かつ、ヘッド４４が再び開いている場合には、プログラム７０は、８４において、９０秒ファン信号がオンになっているか否かをチェックする。なっていなければ、工具は使用されていないことを示しており、８６において、ファン４８を５秒間作動させて停止する。９０秒ファン信号がオンの場合、プログラム７０は、７１の開始へ戻り、延長された冷却サイクルが継続する。
【００２５】
トリガー閉成（８０）ヘッド開放（８２）ループへ戻り、トリガー２６が閉成されている場合、燃焼が望まれていることが示されており、プログラム７０は、９０において、スパークを活性化する。そして、それは、制御回路６６に関連して実行される。点火後、プログラム７０は、９２において、ヘッド４４が開いているか否かを判定し、開いていない場合プログラムは循環する。ヘッド４４が開いている場合、プログラム７０は、９４において、トリガー２６が開成されているか否かをチェックする。トリガーが開成されていなければ、該トリガーが開成されるまでプログラム７０は循環し、トリガーが開成されたとき、プログラムは、状態に応じて、９６の温度サブルーチンへ、９８の温度比較サブルーチンへ、或いは、１００の速度サブルーチンへ進む。温度比較サブルーチン９６は、工具温度を監視するために１つの温度センサ６０を使用し、工具温度が所定値を超過する場合に、ファン４８を「オーバードライブ」として知られる延長作動させる。比較サブルーチン９８は、ファン４８をオーバードライブ作動させるために、２つの温度センサの読みに基づいて演算した値を用い、速度サブルーチン１００は、ファン４８をオーバードライブ作動させるために、工具１０の点火速度を監視する。
【００２６】
図４Ｂを参照すると、温度サブルーチン９６は、先ず、１０２において、ヘッド４４が開いているか否かを判定する。ヘッド４４が開いていると判定されると、１０４において、トリガー２６がチェックされる。トリガー２６が閉成されている場合、操作者が工具を活発に使用していることを示しており、プログラム７０はトリガーが開成されるまで循環する。そのとき、ステップ１０６で、プログラム７０は、温度センサ６０からの温度を監視する。ステップ１０８において、プログラム７０は、検知された温度が６０℃よりも高いか否かを判定する。１０８で温度が６０℃よりも高くなければ、プログラム７０は、１１０で、ファン４８が９０秒間作動したことを示す、９０秒ファンタイマーが作動しているか否かを判定する。作動してなければ、工具１０が過度に使用されていないこと或いは使用が中断していることを示しており、１１２において、ファン４８を５秒間作動させ停止し、その後プログラム７０は開始ルーチン７１へ戻る。
【００２７】
１０８において、温度が６０℃よりも高く、１１０で、ファン４８はもとより９０秒ファンタイマーが作動している場合には、温度センサ６０は、１１４において、監視した温度が４０℃以下であるか否かを判定する。そうでなければ、工具が依然として作動温度にあることを示しており、プログラム７０は、７１の開始ルーチンを開始する。検知された温度が、９０秒ファンタイマーの作動後に４０℃以下に低下している場合、９０秒が経過していなくとも、９０秒ファンタイマーは５秒ファンタイマーを元の状態に戻し、そしてそれは、１１６において起動する。５秒後、ファン４８、および、９０秒ファンタイマー（１１８において後述する）の起動に関連して起動した光および／または音響アラームのような任意に設けることができる表示器１１５（図１）が停止される。次に、プログラム７０は、７１の開始へ進む。
【００２８】
１０８において監視している工具温度が６０℃以上の場合、１１８において、ファン４８、ファンタイマーおよび任意に設けることができる表示器１１５が９０秒間作動し、そしてそれらは停止する。次いで、プログラム７０は７１の開始へ進む。９０秒間ファンを作動させることによって、作動中に工具１０が十分に冷却され、過熱が防止されることは好ましい。然しながら、本明細書に記載した温度レベルおよびファンの作動時間は、特定の用途に適するように修正可能なことは理解されよう。
【００２９】
図４Ｃを参照すると、温度比較サブルーチン９８が設けられている。この実施形態では、工具１０には、シリンダ２０や燃焼室１８のような動力源１４の近傍に第１の温度センサ６０が設けられている。第２の温度センサ１２０（図１では隠れている）が工具１０に設けられているが、動力源１４によってあまり影響されないような動力源１４から更に遠位に配置されている。１つの選択可能な位置は、ハウジング１２のハンドル部分６８内であるが、他の位置でもよい。
【００３０】
最初に、ステップ１２４で、プログラム７０は、第２の温度センサ１２０の読みから周囲の或いは周囲に近い参照温度値を検知する。次に、ステップ１２６で、プログラム７０は、動力源１４に一層近くに配設されている第１の温度センサ６０から工具参照温度値を検知する。ステップ１２８では、センサ１２０、６０からの読みが比較され、ΔＴ値を得る。ステップ１３０では、得られた温度差ΔＴは、用途に応じて作成された公知の「ルックアップ」表のような所定値と比較される。得られた温度差が所定値よりも大きい場合、ステップ１３２において、ファンを９０秒間作動させ停止する。得られた温度差が所定値よりも小さい場合、ステップ１３４でファン４８を５秒間作動させ停止する。サブルーチン９８は、温度差ΔＴが大きければ大きいほど、ファンの作動時間も長くするようにしてもよい。ファンが停止すると、プログラムは７１の開始へ戻る。ΔＴを周囲の参照温度と比較してファンの作動時間を決定してもよい。
【００３１】
図４Ｄを参照して、速度サブルーチン１００を説明する。プログラム７０は、ステップ１３６で、工具サイクル速度、つまり１分間の点火数、或いは、ある時間内の連続燃焼数または点火プラグ４６の点火数を検知し、次いでステップ１３８で、その値を「ルックアップ」表のような所定速度と比較する。このデータは、好ましくはＣＰＵ６７により監視される。用途に応じて、過度な工具温度、例えば７０℃を引き起こすのに十分な点火速度の閾値を確立してプログラム７０に組込む。プログラム７０は、ステップ１４０において、点火速度が所定の点火速度を超過したか否かを判定し、超過している場合は、工具１０は過熱していると考えられ、或いは、作動温度が高くなっている。その場合、ステップ１４２で、ファンを９０秒間作動して停止する。工具１０に表示器が設けられている場合には、図４Ｂに関連して上述したように、一時的に表示器１１５を作動させるようにする。演算された点火速度が所定の速度よりも小さい場合、工具温度は許容値内であることが示されており、ステップ１１４において、ファン４８を５秒間作動させて停止する。このとき表示器１１５を断続的に作動させてもよい。ステップ１４２またはステップ１４４が終了すると、プログラム７０は７１の開始へ戻る。
【００３２】
プログラム７０は、温度サブルーチン９６、温度比較サブルーチン９８、速度サブルーチン１００を組み合わせて用いるようしてもよく、これらのサブルーチンはファン制御として互いに排他的に用いる必要はない。
【００３３】
本発明による燃焼動力式締結具駆動工具用ファン制御のための温度監視の特定の実施形態を説明したが、本発明の広い特徴の範囲および特許請求の範囲から逸脱することなく、その変更と修正が可能であることは当業者の当然とするところである。
【図面の簡単な説明】
【００３４】
【図１】本発明の温度制御システムを備えた締結具駆動工具の正面斜視図である。
【図２】図１の工具の部分垂直部分断面図であ、休止位置を示す図である。
【図３】図２の工具の部分垂直部分断面図であり、点火前位置を示す図である。
【図４Ａ】必要に応じてファンを作動させるために工具温度を監視するようにした制御プログラムを示すフローチャートである。
【図４Ｂ】必要に応じてファンを作動させるために工具温度を監視するようにした制御プログラムを示すフローチャートである。
【図４Ｃ】必要に応じてファンを作動させるために工具温度を監視するようにした制御プログラムを示すフローチャートである。
【図４Ｄ】ファンを作動させるために工具の点火速度を監視するようにした制御プログラムを示すフローチャートである。
【符号の説明】
【００３５】
１０    燃焼動力式締結具駆動工具
１２    ハウジング
１４    内部動力源
１６    ハウジング主室
１８    燃焼室
２０    シリンダ
２２    ピストン
２４    駆動ブレード
２６    トリガー
２８    ノーズ部
６０    第１の温度検知装置
７０    制御プログラム
１２０    第２の温度検知装置
【図１】
2007521982.tif 000002
【図２】
2007521982.tif 000003
【図３】
2007521982.tif 000004
【図４Ａ】
2007521982.tif 000005
【図４Ｂ】
2007521982.tif 000006
【図４Ｃ】
2007521982.tif 000007
【図４Ｄ】
2007521982.tif 000008
【国際調査報告】
2007521982.tif 000009
2007521982.tif 000010